【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
電力用配電線を伝送路として複数の周波数の配電線搬送信号を送受信する配電線搬送通信装置において、アナログ信号入出力装置の受信側に、アナログ受信信号のレベルが前記アナログ信号入出力装置の最大定格値よりも高い場合には前記アナログ受信信号のレベルを前記最大定格値よりも低いレベルに減衰させて当該減衰されたアナログ受信信号を前記アナログ信号入出力装置に出力し、前記アナログ受信信号のレベルが前記アナログ信号入出力装置の最大定格値以下の場合には当該アナログ受信信号を減衰することなくそのまま前記アナログ信号入出力装置に出力するアナログ受信信号レベル制御手段を設けたことを特徴とする配電線搬送通信装置。
【請求項２】
請求項１に記載の配電線搬送通信装置において、前記アナログ信号入出力装置がＡＦＥ−ＬＳＩであることを特徴とする配電線搬送通信装置。
【請求項３】
請求項１または請求項２に記載の配電線搬送通信装置において、変調方式が直交周波数多重方式であることを特徴とする配電線搬送通信装置。
【請求項４】
請求項１〜請求項３の何れか一に記載の配電線搬送通信装置において、前記アナログ受信信号のレベルが前記アナログ信号入出力装置の最大定格値よりも高いか最大定格値以下かの検出を行うアナログ受信信号レベル検出手段を前記アナログ信号入出力装置の受信側に設け、前記アナログ信号入出力装置の検出結果により、前記アナログ受信信号のレベルが前記アナログ信号入出力装置の最大定格値よりも高い場合には前記アナログ受信信号のレベルを前記最大定格値以下に減衰させて当該減衰されたアナログ受信信号を前記アナログ信号入出力装置に出力し、前記アナログ受信信号のレベルが前記アナログ信号入出力装置の最大定格以下の場合には当該アナログ受信信号を減衰することなくそのまま前記アナログ信号入出力装置に出力することを特徴とする配電線搬送通信装置。
【請求項５】
請求項１〜請求項３の何れか一に記載の配電線搬送通信装置において、外部から制御される外部制御手段を設け、この外部制御手段からの制御に基づいて、前記アナログ受信信号のレベルを前記最大定格値よりも低いレベルに減衰させて当該減衰されたアナログ受信信号を前記アナログ信号入出力装置に出力するか、前記アナログ受信信号を減衰することなく前記アナログ信号入出力装置に出力するかを切り替えることを特徴とする配電線搬送通信装置。
【請求項６】
請求項１〜請求項５の何れか一に記載の配電線搬送通信装置において、前記アナログ信号入出力装置の受信側に切替器を設け、この切替器により、前記アナログ受信信号のレベルが前記アナログ信号入出力装置の最大定格値よりも高い場合における前記最大定格値よりも低いレベルに減衰されたアナログ受信信号の前記アナログ信号入出力装置への出力と、前記アナログ受信信号のレベルが前記アナログ信号入出力装置の最大定格値以下の場合における前記減衰されていない前記アナログ受信信号の前記アナログ信号入出力装置への出力とが切り替えて出力されることを特徴とする配電線搬送通信装置。
【請求項７】
請求項６に記載の配電線搬送通信装置において、前記切替器がアナログ受信信号を出力しないＯＦＦ状態をとるものであり、送信時には前記切替器がＯＦＦ状態に制御されることを特徴とする配電線搬送通信装置。
【請求項８】
請求項６に記載の配電線搬送通信装置において、前記切替器が手動の切替器であることを特徴とする配電線搬送通信装置。
【請求項９】
請求項６または請求項７に記載の配電線搬送通信装置において、前記切替器がＭＯＳ−ＦＥＴであることを特徴とする配電線搬送通信装置。
【請求項１０】
請求項６または請求項７に記載の配電線搬送通信装置において、前記切替器がフォトモスリレーであることを特徴とする配電線搬送通信装置。
【請求項１１】
電線を伝送路として複数の周波数の電線搬送信号を送受信する電線搬送通信装置において、アナログ信号入出力装置の受信側に、アナログ受信信号のレベルが前記アナログ信号入出力装置の最大定格値よりも高い場合には前記アナログ受信信号のレベルを前記最大定格値よりも低いレベルに減衰させて当該減衰されたアナログ受信信号を前記アナログ信号入出力装置に出力し、前記アナログ受信信号のレベルが前記アナログ信号入出力装置の最大定格値以下の場合には当該アナログ受信信号を減衰することなくそのまま前記アナログ信号入出力装置に出力するアナログ受信信号レベル制御手段を設けたことを特徴とする電線搬送通信装置。
【請求項１２】
請求項１１に記載の電線搬送通信装置において、前記アナログ信号入出力装置がＡＦＥ−ＬＳＩであることを特徴とする電線搬送通信装置。
【請求項１３】
請求項１１または請求項１２に記載の電線搬送通信装置において、変調方式が直交周波数多重方式であることを特徴とする電線搬送通信装置。
【請求項１４】
請求項１１〜請求項１３の何れか一に記載の電線搬送通信装置において、前記アナログ受信信号のレベルが前記アナログ信号入出力装置の最大定格値よりも高いか最大定格値以下かの検出を行うアナログ受信信号レベル検出手段を前記アナログ信号入出力装置の受信側に設け、前記アナログ信号入出力装置の検出結果により、前記アナログ受信信号のレベルが前記アナログ信号入出力装置の最大定格値よりも高い場合には前記アナログ受信信号のレベルを前記最大定格値以下に減衰させて当該減衰されたアナログ受信信号を前記アナログ信号入出力装置に出力し、前記アナログ受信信号のレベルが前記アナログ信号入出力装置の最大定格以下の場合には当該アナログ受信信号を減衰することなくそのまま前記アナログ信号入出力装置に出力することを特徴とする電線搬送通信装置。
【請求項１５】
請求項１１〜請求項１３の何れか一に記載の電線搬送通信装置において、外部から制御される外部制御手段を設け、この外部制御手段からの制御に基づいて、前記アナログ受信信号のレベルを前記最大定格値よりも低いレベルに減衰させて当該減衰されたアナログ受信信号を前記アナログ信号入出力装置に出力するか、前記アナログ受信信号を減衰することなく前記アナログ信号入出力装置に出力するかを切り替えることを特徴とする電線搬送通信装置。
【請求項１６】
請求項１１〜請求項１５の何れか一に記載の電線搬送通信装置において、前記アナログ信号入出力装置の受信側に切替器を設け、この切替器により、前記アナログ受信信号のレベルが前記アナログ信号入出力装置の最大定格値よりも高い場合における前記最大定格値よりも低いレベルに減衰されたアナログ受信信号の前記アナログ信号入出力装置への出力と、前記アナログ受信信号のレベルが前記アナログ信号入出力装置の最大定格値以下の場合における前記減衰されていない前記アナログ受信信号の前記アナログ信号入出力装置への出力とが切り替えて出力されることを特徴とする電線搬送通信装置。
【請求項１７】
請求項１６に記載の電線搬送通信装置において、前記切替器がアナログ受信信号を出力しないＯＦＦ状態をとるものであり、送信時には前記切替器がＯＦＦ状態に制御されることを特徴とする電線搬送通信装置。
【請求項１８】
請求項１６に記載の電線搬送通信装置において、前記切替器が手動の切替器であることを特徴とする電線搬送通信装置。
【請求項１９】
請求項１６または請求項１７に記載の電線搬送通信装置において、前記切替器がＭＯＳ−ＦＥＴであることを特徴とする電線搬送通信装置。
【請求項２０】
請求項１６または請求項１７に記載の電線搬送通信装置において、前記切替器がフォトモスリレーであることを特徴とする電線搬送通信装置。
【手続補正２】
【補正対象書類名】明細書
【補正対象項目名】発明の名称
【補正方法】変更
【補正の内容】
【発明の名称】配電線搬送通信装置および電線搬送通信装置